(57)【要約】【課題】監視空間から人が居なくなったときに電気機器への通電が一斉に遮断されてしまうことを回避できる通電制御システムを提供する。【解決手段】制御装置４は、判断部４４にて第１の部屋１０１に人が居なくなったと判断されると、人が居なくなった部屋１０１のコンセント３１，３２を対象として、処理部４５にてコンセント３１，３２の通電を遮断する通電遮断処理を開始する。記憶部４３には、予め設定された遅延時間がコンセント３１，３２の識別子ごとに対応付けて記憶されている。処理部４５は、通電遮断処理を開始すると、遅延時間を計時するタイマ４６を起動し、タイマ４６の計時する時間が遅延時間に達したコンセント３１，３２から順に通電を遮断する。処理部４５は、遅延時間が経過する前に部屋１０１に人が戻ってきた場合には、タイマ４６を停止して通電遮断処理を終了する。【選択図】図１
2012016249.tif 000002
【特許請求の範囲】
【請求項１】
監視空間における人の存否を検知する人感センサと、前記監視空間に設けられており電気機器を接続可能な複数個のコンセントとを、複数の前記監視空間の各々について備えるとともに、前記コンセントの通電状態を制御する制御装置を備え、
前記制御装置は、前記人感センサが発生する検知信号を受信する受信部と、前記人感センサに固有の識別子と前記コンセントに固有の識別子とが前記監視空間ごとに対応付けて記憶されている記憶部と、前記人感センサからの前記検知信号により前記監視空間の人の存否を判断する判断部と、前記判断部にて前記監視空間に人が居なくなったと判断されれば、人が居なくなった前記監視空間を検知対象とする前記人感センサに対応付けられている前記コンセントの通電を遮断する通電遮断処理を開始する処理部とを有し、
前記記憶部は、予め設定された遅延時間が前記コンセントごとに対応付けて記憶されており、前記処理部は、前記通電遮断処理を開始すると前記遅延時間を計時するタイマを起動し、前記記憶部にて対応付けられている前記遅延時間に前記タイマの計時する時間が達した前記コンセントから順にそれぞれ通電を遮断し、前記判断部にて前記通電遮断処理の対象としている前記監視空間に人が居ると判断されれば前記タイマを停止することを特徴とする通電制御システム。
【請求項２】
監視空間における人の存否を検知する人感センサと、前記監視空間に設けられており電気機器を接続可能な複数個のコンセントとを、複数の前記監視空間の各々について備えるとともに、前記コンセントの通電状態を制御する制御装置を備え、
前記制御装置は、前記人感センサが発生する検知信号を受信する受信部と、前記人感センサに固有の識別子と前記コンセントに固有の識別子とが前記監視空間ごとに対応付けて記憶されている記憶部と、前記人感センサからの前記検知信号により前記監視空間の人の存否を判断する判断部と、前記判断部にて前記監視空間に人が居なくなったと判断されれば、人が居なくなった前記監視空間を検知対象とする前記人感センサに対応付けられている前記コンセントの通電を遮断する通電遮断処理を開始する処理部とを有し、
前記記憶部は、予め設定された遅延時間が前記監視空間ごとに対応付けて記憶されており、前記処理部は、前記通電遮断処理を開始すると前記遅延時間を計時するタイマを起動し、前記通電遮断処理の対象としている前記監視空間に対応付けられている前記遅延時間に前記タイマの計時する時間が達した時点で、前記通電遮断処理の対象としている前記監視空間内の前記コンセントの通電を遮断し、前記判断部にて前記通電遮断処理の対象としている前記監視空間に人が居ると判断されれば前記タイマを停止することを特徴とする通電制御システム。
【発明の詳細な説明】
【技術分野】
【０００１】
本発明は、電気機器への通電状態を制御する通電制御システムに関する。
【背景技術】
【０００２】
従来から、電気機器への通電状態を制御装置にて制御できるようにした通電制御システムが提案されている（たとえば特許文献１，２参照）。
【０００３】
特許文献１記載のシステム（通電制御管理システム）では、制御装置（コントローラ）は、各部屋に配置されている人感（人検知）センサにて人が検知されると、人が検知された部屋にある電気機器への通電を行う。一方、通電状態の電気機器がある部屋に配置されている人感センサにて人が検知されない状態が所定時間継続すると、制御装置は、この部屋の電気機器への通電を遮断する。特許文献２においても、制御装置（電力制御サーバ）は、人感センサにより室内に人がいないと感知されたときに電気機器への通電を遮断することが記載されている。
【０００４】
この種の通電制御システムによれば、人が居ないときには電気機器への通電が遮断されるため、電気機器における待機電力の消費を抑制することができる。
【先行技術文献】
【特許文献】
【０００５】
【特許文献１】特開２００５−２５３２２３号公報
【特許文献２】特開２００５−１０７６０６号公報
【発明の概要】
【発明が解決しようとする課題】
【０００６】
ところで、上述したような従来の通電制御システムでは、所定の監視空間（たとえば部屋）から人が居なくなって所定時間が経過すると、この監視空間内の電気機器への通電は一斉に遮断される。
【０００７】
しかし、電気機器の種類や用途や設置場所等によっては、人が居なくなって所定時間経過後すぐに通電が遮断されることが好ましくない場合がある。
【０００８】
すなわち、プリンタのように電源投入後の立ち上がりに時間が掛かる電気機器や、テレビのように通電が再開されても電源ボタンが操作されるまでは待機状態を維持する電気機器などは、人がすぐに戻ってくる場合には通電が遮断されない方が望ましいこともある。
【０００９】
同様の問題は、複数の監視空間の間でも生じ得る。たとえば、トイレの照明器具などは人が居なくなってすぐに通電が遮断されても支障がないが、階段の照明器具のようにその場に人が居なくても付近に人が居れば点いていることが望ましい電気器具は、人が居なくなってすぐに通電が遮断されることは好ましくない。
【００１０】
本発明は上記事由に鑑みて為されており、監視空間から人が居なくなったときに電気機器への通電が一斉に遮断されてしまうことを回避できる通電制御システムを提供することを目的とする。
【課題を解決するための手段】
【００１１】
本発明の通電制御システムは、監視空間における人の存否を検知する人感センサと、前記監視空間に設けられており電気機器を接続可能な複数個のコンセントとを、複数の前記監視空間の各々について備えるとともに、前記コンセントの通電状態を制御する制御装置を備え、前記制御装置は、前記人感センサが発生する検知信号を受信する受信部と、前記人感センサに固有の識別子と前記コンセントに固有の識別子とが前記監視空間ごとに対応付けて記憶されている記憶部と、前記人感センサからの前記検知信号により前記監視空間の人の存否を判断する判断部と、前記判断部にて前記監視空間に人が居なくなったと判断されれば、人が居なくなった前記監視空間を検知対象とする前記人感センサに対応付けられている前記コンセントの通電を遮断する通電遮断処理を開始する処理部とを有し、前記記憶部は、予め設定された遅延時間が前記コンセントごとに対応付けて記憶されており、前記処理部は、前記通電遮断処理を開始すると前記遅延時間を計時するタイマを起動し、前記記憶部にて対応付けられている前記遅延時間に前記タイマの計時する時間が達した前記コンセントから順にそれぞれ通電を遮断し、前記判断部にて前記通電遮断処理の対象としている前記監視空間に人が居ると判断されれば前記タイマを停止することを特徴とする。
【００１２】
また、本発明の通電制御システムは、監視空間における人の存否を検知する人感センサと、前記監視空間に設けられており電気機器を接続可能な複数個のコンセントとを、複数の前記監視空間の各々について備えるとともに、前記コンセントの通電状態を制御する制御装置を備え、前記制御装置は、前記人感センサが発生する検知信号を受信する受信部と、前記人感センサに固有の識別子と前記コンセントに固有の識別子とが前記監視空間ごとに対応付けて記憶されている記憶部と、前記人感センサからの前記検知信号により前記監視空間の人の存否を判断する判断部と、前記判断部にて前記監視空間に人が居なくなったと判断されれば、人が居なくなった前記監視空間を検知対象とする前記人感センサに対応付けられている前記コンセントの通電を遮断する通電遮断処理を開始する処理部とを有し、前記記憶部は、予め設定された遅延時間が前記監視空間ごとに対応付けて記憶されており、前記処理部は、前記通電遮断処理を開始すると前記遅延時間を計時するタイマを起動し、前記通電遮断処理の対象としている前記監視空間に対応付けられている前記遅延時間に前記タイマの計時する時間が達した時点で、前記通電遮断処理の対象としている前記監視空間内の前記コンセントの通電を遮断し、前記判断部にて前記通電遮断処理の対象としている前記監視空間に人が居ると判断されれば前記タイマを停止することを特徴とする。
【発明の効果】
【００１３】
本発明は、監視空間から人が居なくなったときに電気機器への通電が一斉に遮断されてしまうことを回避できるという利点がある。
【図面の簡単な説明】
【００１４】
【図１】実施形態１の構成を示す概略システム構成図である。
【図２】同上の制御装置の動作を示すフローチャートである。
【図３】同上の通電遮断処理を示すフローチャートである。
【図４】同上の動作例を示すシーケンス図である。
【発明を実施するための形態】
【００１５】
以下の実施形態では戸建住宅に適用される通電制御システムを例示しているが、通電制御システムは、集合住宅や店舗、事務所等にも幅広く適用することができる。
【００１６】
（実施形態１）
本実施形態の通電制御システム１は、図１に示すように、人の存否を検知する人感センサ２１，２２と、電気機器（図示せず）を接続可能なコンセント３１，３２，３３，３４と、制御装置４と、入力装置５とを備えている。以下では、人感センサ２１，２２の各々を特に区別しないときには単に「人感センサ２」とし、コンセント３１，３２，３３，３４の各々を特に区別しないときには単に「コンセント３」として説明する。
【００１７】
本実施形態では、住宅１００における第１の部屋１０１および第２の部屋１０２がそれぞれ監視空間となり、人感センサ２とコンセント３との組み合わせが監視空間としての第１および第２の各部屋１０１，１０２にそれぞれ設けられている。すなわち、第１の部屋１０１には人感センサ２１と、コンセント３１，３２とが設けられ、第２の部屋１０２には人感センサ２２と、コンセント３３，３４とが設けられる。これにより、人感センサ２１は第１の部屋１０１における人の存否を検知し、人感センサ２２は第２の部屋１０２における人の存否を検知する。
【００１８】
通電制御システム１を構成する人感センサ２とコンセント３と制御装置４と入力装置５とは、全て通信路６を介して接続されている。また、制御装置４は分電盤７内に収納され、入力装置５は住宅１００の適当な場所（たとえばリビング）に設置されている。なお、図１では図示を省略しているが、分電盤７から人感センサ２およびコンセント３には、商用電源（図示せず）からの電力供給用の配電線が接続されている。
【００１９】
人感センサ２は、焦電素子を用いて人の存否を検知する赤外線型センサであって、検知結果を表す検知信号を制御装置４に対し通信路６を介して送信する送信部（図示せず）を有している。検知信号は、人感センサ２の検知対象である部屋１０１あるいは部屋１０２の人の存否を示す信号である。なお、人感センサ２は、部屋１０１，１０２における人の存否を検知するセンサであればよく、赤外線型センサに限らず、たとえば超音波を用いたセンサや、部屋１０１，１０２への入退室状況を管理する入退室管理装置などであってもよい。
【００２０】
コンセント３は、それぞれ各部屋１０１，１０２の壁などの適当な場所に設けられている。コンセント３に接続される電気機器としては、たとえばテレビ、プリンタ、扇風機、照明器具（電気スタンド等）など様々な電気機器がある。本実施形態では、各コンセント３１，３２，３３，３４はそれぞれコンセント口を２個ずつ持つ２個口のコンセントであるが、１個口、３個口等、適宜変更可能である。なお、１個口のコンセント３が１箇所に複数個まとめて設けられ、複数個口のコンセントを構成していてもよい。
【００２１】
ここで、コンセント３は、通信路６を介して制御装置４との間で通信する通信部（図示せず）を有している。さらにコンセント３は、コンセント口への通電を入切する開閉器（図示せず）と、開閉器を制御する開閉制御部（図示せず）とを有している。開閉制御部は、通信部が制御装置４から受信する制御信号に従って開閉器の開閉状態を制御する。
【００２２】
すなわち、制御装置４から、制御信号にて通電を遮断するように指示されると、開閉制御部は開閉器を開放してコンセント口への通電を遮断する。一方、制御装置４から、制御信号にて通電を再開するように指示されると、開閉制御部は開閉器を閉じてコンセント口への通電を再開する。
【００２３】
このように、コンセント３の通電状態（通電・遮断の２状態）は、制御装置４にて遠隔制御することができる。コンセント３の通電が遮断されている状態では、このコンセント３に接続されている電気機器への通電は停止し、待機電力も含めて電気機器での電力消費はなくなる。
【００２４】
また、コンセント３は、壁などの定位置に設けられているコンセントに限らずテーブルタップであってもよい。この場合、複数個のコンセント口を有するテーブルタップ全体が１個のコンセント３を構成していてもよいが、開閉部をコンセント口ごとに設け、各コンセント口単位でコンセント３を構成してもよい。
【００２５】
制御装置４は、図１に示すように第１の通信部４１と、第２の通信部４２と、記憶部４３と、判断部４４と、処理部４５と、タイマ４６とを備えている。
【００２６】
第１の通信部４１は、通信路６を介して人感センサ２と通信する機能を有し、人感センサ２の送信部から送信される検知信号を受信する受信部を構成する。制御装置４の記憶部４３には通信アドレスが記憶されており、人感センサ２の送信部は制御装置４の通信アドレスを送信先アドレスとして用いることにより、第１の通信部４１に検知信号を送信する。また、各人感センサ２は、それぞれ個別の通信アドレスが記憶されたメモリ（図示せず）を有しており、第１の通信部４１はこの通信アドレスによって個々の人感センサ２を識別する。第１の通信部４１は、各人感センサ２１，２２からそれぞれ検知信号を定期的に受信する。
【００２７】
第２の通信部４２は、通信路６を介してコンセント３の通信部と通信する機能を有し、コンセント３に対して通電状態を制御するための制御信号を送信する。各コンセント３は、それぞれ個別の通信アドレスが記憶されたメモリ（図示せず）を有しており、第２の通信部４２はこの通信アドレスによって個々のコンセント３を識別する。制御信号は、上述したようにコンセント３の開閉器の開閉状態を制御する信号である。この制御信号により、制御装置４はコンセント３の通電状態を制御する。
【００２８】
本実施形態において、制御装置４と人感センサ２およびコンセント３との間の通信には、一例として時分割多重伝送方式が採用されている。すなわち、制御装置４は、複数の人感センサ２およびコンセント３と順に通信することによって、人感センサ２から検知信号を受信したり、コンセント３の通電状態を制御するための制御信号を送信したりする。
【００２９】
記憶部４３は、各人感センサ２に固有の識別子と、各コンセント３に固有の識別子とを、監視空間である部屋１０１，１０２ごとに対応付けて記憶している。ここで、人感センサ２の識別子は、人感センサ２ごとに予め割り当てられてメモリに記憶されているセンサ番号であって、コンセント３の識別子は、コンセント３ごとに予め割り当てられてメモリに記憶されているコンセント番号である。
【００３０】
本実施形態では、下記表１，２のようにコンセント番号およびセンサ番号を部屋１０１，１０２ごとに対応付けたテーブルが記憶部４３に記憶されている。なお、表中の「３１」はコンセント３１、「３２」はコンセント３２、「３３」はコンセント３３、「３４」はコンセント３４のコンセント番号をそれぞれ表し、「２１」は人感センサ２１、「２２」は人感センサ２２のセンサ番号をそれぞれ表している。表１の「制御遅延時間」は、詳しくは後述するが、コンセント３ごとに設定され、コンセント３の通電を遮断する際に用いられる遅延時間を表している。
【００３１】
【表１】
2012016249.tif 000003
【００３２】
【表２】
2012016249.tif 000004
【００３３】
すなわち、上記テーブルによれば、コンセント３１，３２と人感センサ２１とが第１の部屋１０１に対応付けられることにより組を成し、コンセント３３，３４と人感センサ２２とが第２の部屋１０２に対応付けられることにより組を成している。ただし、識別子はセンサ番号やコンセント番号に限らず、各人感センサ２、各コンセント３に対し予め個別に付与されている識別子であればよく、たとえば上述した通信アドレスやＭＡＣアドレスなどであってもよい。
【００３４】
判断部４４は、人感センサ２１からの検知信号により第１の部屋１０１の人の存否を判断し、さらに、人感センサ２２からの検知信号により第２の部屋１０２の人の存否を判断する。ここでは、判断部４４は、人が居ることを表す検知信号を受けた場合、すぐに人が居ると判断し、人が居ないことを表す検知信号を受けた場合には、所定時間経過するのを待ってから人が居ないと判断する。
【００３５】
つまり、部屋には人が居るにも関わらず、人感センサ２の検知範囲から人が一時的に外れたり人が静止していたりして、人感センサ２から人が居ないことを表す検知信号が出力されることがある。この場合、判断部４４はすぐに人が居ないと判断するのではなく、所定時間経過するまでの間、人が居ることを表す検知信号を受けなかった場合に、人が居ないと判断する。言い換えれば、判断部４４は、人が居ないことを表す検知信号を所定時間に亘って受けたときに初めて人が居ないと判断する。なお、所定時間の計時にはタイマ４６が用いられる。
【００３６】
処理部４５は、判断部４４が第１の部屋１０１に人が居ないと判断した場合に、記憶部４３において第１の部屋１０１と識別子が対応付けられているコンセント３１，３２の通電を遮断する通電遮断処理を開始する。そのため、第１の部屋１０１に人が居なくなると、第１の部屋１０１の人感センサ２１と組になるコンセント３１，３２の通電を遮断するための処理が開始される。同様に、処理部４５は、判断部４４が第２の部屋１０２に人が居ないと判断した場合に、記憶部４３において第２の部屋１０２と識別子が対応付けられているコンセント３３，３４の通電を遮断する通電遮断処理を開始する。
【００３７】
コンセント３の通電を遮断する処理は、対象となるコンセント３に対して第２の通信部４２から制御信号を送信し、対象となるコンセント３の開閉器を開放させることにより行われる。
【００３８】
また、処理部４５は、判断部４４の判断結果が第１の部屋１０１に人が居ないという判断から、第１の部屋１０１に人が居るという判断に変化した場合、記憶部４３において第１の部屋１０１と識別子が対応付けられているコンセント３１，３２の通電を再開させる。同様に、処理部４５は、判断部４４の判断結果が第２の部屋１０２に人が居ないという判断から、第２の部屋１０２に人が居るという判断に変化した場合、記憶部４３において第２の部屋１０２と識別子が対応付けられているコンセント３３，３４の通電を再開させる。
【００３９】
入力装置５は、表示部（図示せず）を有しており、ユーザからの操作入力により上記表１，２のようなテーブルを表示部上で作成し、作成したテーブルを制御装置４の記憶部４３に記憶させる。入力装置５と制御装置４とは、通信路６を介して通信可能に構成されており、入力装置５において作成されたテーブルは、制御装置４に転送され記憶部４３に記憶される。
【００４０】
なお、入力装置５は、制御装置４が提供するＷｅｂ画面をＷｅｂブラウザなどで表示部に表示し、このＷｅｂ画面上で上記表１，２のようなテーブルを作成する構成であってもよい。また、入力装置５は、専用の装置に限らず通信路６を介して制御装置４と通信し、設定情報の入力ができる装置であればよく、たとえば住宅内の各種機器と接続された住宅情報盤や、パーソナルコンピュータや携帯端末などであってもよい。
【００４１】
次に、上記構成の制御装置４の動作について、図２に示すフローチャートを参照して簡単に説明する。
【００４２】
制御装置４は、通信路６に接続され電源が投入されると、各人感センサ２の識別子と各コンセント３の識別子とを部屋１０１，１０２ごとに対応付けて記憶したテーブル（表１，２参照）を、記憶部４３から処理部４５に読み込む（Ｓ１）。次に、制御装置４は、各人感センサ２１，２２から検知信号を受信し（Ｓ２）、判断部４４にて人の存否を判断する。
【００４３】
このとき、制御装置４は、判断部４４での判断結果に変化がなければ（Ｓ３：Ｎｏ）、テーブルを読み込む処理Ｓ１に戻り、判断結果に変化があれば（Ｓ３：Ｙｅｓ）、変化後の判断結果に基づいてコンセント３の通電を制御する。
【００４４】
つまり、判断部４４にて人が居ると判断された場合（Ｓ４：Ｙｅｓ）、制御装置４は、人が居るという検知信号を出力した人感センサ２とテーブル上で対応付けられているコンセント３の通電を再開する通電再開処理を実行する（Ｓ５）。一方、判断部４４にて人が居なくなったと判断された場合（Ｓ４：Ｎｏ）、制御装置４は、人が居なくなったという検知信号を出力した人感センサ２とテーブル上で対応付けられているコンセント３の通電を遮断する通電遮断処理を開始する（Ｓ６）。
【００４５】
ところで、本実施形態の制御装置４は、判断部４４にて人が居なくなったと判断されたとしても、人が居なくなった部屋の全てのコンセント３の通電を一斉に遮断するのではなく、遅延時間が経過したコンセント３から順次通電を遮断する。そのために、記憶部４３には、遅延時間がコンセント３の識別子ごとに対応付けて記憶されている。
【００４６】
以下に、処理部４５の通電遮断処理（Ｓ６）について、図３のフローチャートを参照しながら説明する。ここでは、判断部４４にて第１の部屋１０１に人が居なくなったと判断され、処理部４５が第１の部屋１０１のコンセント３１，３２について通電遮断処理を実行する場合を例として説明する。なお、以下では上記表１のテーブルに示すようにコンセント３１には遅延時間として「５分」が対応付けられ、コンセント３２には遅延時間として「３分」が対応付けられていると仮定する。
【００４７】
すなわち、処理部４５は、判断部４４にて第１の部屋１０１に人が居なくなったと判断され通電遮断処理が開始すると、まずタイマ４６を起動し（Ｓ６１）、変数ｉの初期化（ｉ＝１）を行う（Ｓ６２）。変数ｉは、コンセント３１，３２を区別するための変数であって、ここでは遅延時間が短い方のコンセント３２を１番目のコンセント、遅延時間が長い方のコンセント３１を２番目のコンセントとする。
【００４８】
その後、処理部４５は、変数ｉをインクリメントし（Ｓ６３）、タイマ４６の計時する時間がｉ番目のコンセント３に対応付けられている遅延時間に達すると（Ｓ６５：Ｙｅｓ）、ｉ番目のコンセント３の通電を遮断する（Ｓ６６）。処理部４５は、第１の部屋１０１内の全てのコンセント３１，３２の通電が遮断されるまで（Ｓ６７）、処理Ｓ６３〜Ｓ６６を繰り返す。両コンセント３１，３２の通電が遮断されると（Ｓ６７：Ｙｅｓ）、処理部４５はタイマ４６を停止し、タイマ４６にて計時された時間をリセットして（Ｓ６９）、通電遮断処理を終了する。
【００４９】
これにより、処理部４５は、タイマ４６が起動してから３分が経過した時点で、遅延時間が「３分」であるコンセント３２の通電を遮断し、タイマ４６が起動してから５分が経過した時点で、遅延時間が「５分」であるコンセント３１の通電を遮断することになる。
【００５０】
ここで、処理部４５は、処理Ｓ６３と処理Ｓ６５との間において、判断部４４にて第１の部屋１０１に人が居ると判断されれば（Ｓ６４：Ｙｅｓ）、第１の部屋１０１内のコンセント３への通電を再開させ（Ｓ６８）、処理Ｓ６９に移行し通電遮断処理を終了する。したがって、たとえばタイマ４６が起動してからコンセント３１の遅延時間が経過する前に、第１の部屋１０１に人が戻ってきた場合には、タイマ４６が停止されるため、コンセント３１の通電は遮断されることなく継続する。
【００５１】
なお、遅延時間はコンセント３ごとに任意に設定され、たとえばコンセント３１とコンセント３２とで遅延時間が同じであったり、一方の遅延時間がゼロ（０）であったりしてもよい。
【００５２】
次に、以上説明した構成の通電制御システム１の動作例について、図４のシーケンス図を参照して説明する。なお、以下では上記表１のテーブルに示すようにコンセント３１の遅延時間＝「５分」、コンセント３２の遅延時間＝「３分」、コンセント３３の遅延時間＝「１０分」、コンセント３４の遅延時間＝「２０分」と仮定する。
【００５３】
すなわち、制御装置４は、第１の部屋１０１の人感センサ２１からの検知信号を受け、この検知信号により、第１の部屋１０１に人が居なくなったと判断部４４にて判断する。制御装置４は、人が居なくなったという判断時点から３分経過すると、コンセント３２に対して通電を遮断するための制御信号を送信し、さらに２分（つまり、判断時点から計５分）経過すると、コンセント３１に対して通電を遮断するための制御信号を送信する。
【００５４】
その後、制御装置４は、第１の部屋１０１の人感センサ２１からの検知信号を受け、この検知信号により、第１の部屋１０１に人が居ると判断部４４にて判断する。そのため、制御装置４は、第１の部屋１０１内の両コンセント３１，３２に対し、通電を再開するための制御信号を送信する。
【００５５】
その後、制御装置４は、第２の部屋１０２の人感センサ２２からの検知信号を受け、この検知信号により、第２の部屋１０２に人が居なくなったと判断部４４にて判断する。制御装置４は、人が居なくなったという判断時点から１０分経過すると、コンセント３３に対して通電を遮断するための制御信号を送信する。
【００５６】
図４の例では、制御装置４は、人が居なくなったという判断時点から１０分経過後さらに１０分（つまり、判断時点から計２０分）経過する前に、人感センサ２２からの検知信号により、第２の部屋１０２に人が戻ってきたと判断部４４にて判断する。そのため、コンセント３４については通電を遮断することなく、制御装置４は、第２の部屋１０２内の両コンセント３３，３４に対し、通電を再開するための制御信号を送信する。
【００５７】
以上説明した本実施形態の通電制御システム１によれば、部屋から人が居なくなると、人が居なくなった部屋のコンセント３の通電が遮断されるので、このコンセント３に接続されている電気機器への通電は停止する。したがって、人が居ないときには電気機器への通電が自動的に遮断されることとなり、待機電力を含めて電気機器での電力消費を抑制することができるという効果がある。しかも、上記通電制御システム１では、複数の電気機器で１個の人感センサ２を兼用することができ、複数の電気機器のそれぞれに人感センサを付加する場合に比べて、人感センサの必要数を少なくすることができる。
【００５８】
また、処理部４５は、人が居なくなった部屋の全てのコンセント３の通電を一斉に遮断するのではなく、遅延時間が経過したコンセント３から順次通電を遮断する。つまり、処理部４５は、人が居なくなったと判断部４４にて判断されてから、コンセント３ごとに対応付けられている遅延時間が経過する度に、遅延時間が経過したコンセント３の通電を順に遮断する。したがって、人が居なくなってすぐに通電が遮断されることが好ましくない電気機器にも対応できる。
【００５９】
すなわち、人が居なくなってすぐに通電が遮断されることが好ましくない電気機器については、遅延時間が比較的長いコンセント３に接続しておけば、人が居なくなってもすぐに通電が遮断されることはなく、人がすぐに戻ってくる場合には通電は遮断されない。なお、人が居なくなってすぐに通電が遮断されることが好ましくない電気機器としては、プリンタのように電源投入後の立ち上がりに時間が掛かる電気機器や、テレビのように通電が再開されても電源ボタンが操作されるまでは待機状態を維持する電気機器などがある。
【００６０】
ところで、本実施形態では、各コンセント３がそれぞれ通信部と開閉器と開閉制御部とを有し、制御装置４からの制御信号に従って通電状態を制御しているが、この構成に限らず、分電盤７内の分岐ブレーカにてコンセント３の通電状態を制御してもよい。つまり、コンセント３ごとに分岐ブレーカ（図示せず）が設けられていれば、この分岐ブレーカを開閉器として、制御装置４は、各分岐ブレーカを制御することによりコンセント３の通電状態を制御することが可能である。この場合、制御装置４からの制御信号を受けて開閉器を開閉制御する機能が分岐ブレーカにあればよい。したがって、分電盤７内で分岐ブレーカを制御装置４に直接接続することにより、通信によらずに制御装置４にて分岐ブレーカの開閉を制御することも可能である。
【００６１】
なお、本実施形態では制御装置４は、人感センサ２およびコンセント３との間の通信を、通信路６を通した有線通信により行っているが、この例に限らない。すなわち、制御装置４は、たとえば無線通信、あるいは配電線を通信路に兼用する電力線搬送通信などにより、人感センサ２およびコンセント３との間の通信を行うようにしてもよい。この場合、制御装置４と人感センサ２およびコンセント３との間に専用の通信線を設ける必要が無いため、システムの構築が簡単になる。
【００６２】
（実施形態２）
本実施形態の通電制御システム１は、監視空間ごとに遅延時間が設定されている点が、コンセント３ごとに遅延時間が設定されている実施形態１の通電制御システム１と相違する。
【００６３】
すなわち、本実施形態では、遅延時間は、監視空間としての第１の部屋１０１と第２の部屋１０２とのそれぞれ対応付けて記憶部４３に記憶されている。処理部４５は、通電遮断処理を開始すると、遅延時間を計時するタイマ４６を起動し、通電を遮断する部屋と対応付けられている遅延時間が経過した時点で、この部屋のコンセント３に対して制御信号を送信し通電を遮断する。ただし、遅延時間が経過する前に、部屋に人が居ると判断部４４にて判断されると、処理部４５はタイマ４６を停止し通電遮断処理を終了する。
【００６４】
以下に、第１の部屋１０１の遅延時間が３０秒、第２の部屋１０２の遅延時間が３分に設定されていると仮定して、本実施形態の通電制御システム１の動作例を示す。
【００６５】
制御装置４は、第１の部屋１０１の人感センサ２１からの検知信号を受け、第１の部屋１０１に人が居なくなったと判断部４４にて判断すると、判断時点から３０秒が経過するのを待って、第１の部屋１０１のコンセント３１，３２の通電を遮断する。一方、制御装置４は、第２の部屋１０２の人感センサ２２からの検知信号を受け、第２の部屋１０２に人が居なくなったと判断部４４にて判断すると、判断時点から３分が経過するのを待って、第２の部屋１０２のコンセント３３，３４の通電を遮断する。
【００６６】
以上説明した構成の通電制御システム１によれば、処理部４５は、人が居なくなったと判断部４４にて判断されてから、監視空間ごとに対応付けられている遅延時間が経過した時点で、監視空間のコンセント３の通電を遮断する。したがって、人が居なくなってすぐに通電が遮断されることが好ましくない監視空間については、遅延時間を比較的長く設定しておけば、人が居なくなってもすぐにコンセント３の通電が遮断されることはなく、人がすぐに戻ってくる場合には通電は遮断されない。
【００６７】
たとえば、トイレなど、人が居なくなってすぐに照明器具の通電が遮断されても支障がない監視空間については、遅延時間が比較的短く設定されることにより、制御装置４は、人が居なくなってすぐに通電を遮断することで消費電力を極力削減することができる。一方、階段のようにその場に人が居なくても付近に人が居れば照明器具が点いていることが望ましい監視空間については、遅延時間が比較的長く設定されることにより、制御装置４は、人が居なくなってもすぐに通電が遮断されないようにすることができる。
【００６８】
なお、本実施形態では、制御装置４はコンセント３ごとに通電を制御する必要がないので、分岐ブレーカが部屋１０１，１０２単位で設けられていれば、制御装置４は各分岐ブレーカを制御することによりコンセント３の通電状態を制御することが可能である。
【００６９】
また、遅延時間は、上述したように監視空間に直接対応付けられていてもよいし、人感センサ２に対応付けられることにより、各人感センサ２が検知対象とする監視空間に対して間接的に対応付けられていてもよい。
【００７０】
その他の構成および機能は実施形態１と同様である。
【符号の説明】
【００７１】
１  通電制御システム
４  制御装置
２１，２２  人感センサ
３１，３２，３３，３４  コンセント
４３  記憶部
４４  判断部
４５  処理部
４６  タイマ
１０１  第１の部屋（監視空間）
１０２  第２の部屋（監視空間）
【図１】
2012016249.tif 000005
【図２】
2012016249.tif 000006
【図３】
2012016249.tif 000007
【図４】
2012016249.tif 000008